(57)【要約】【課題】顧客が紙幣を手で数えることなく紙幣枚数を確認することができるようにする。【解決手段】自動取引装置は、１枚以上かつ１金種以上の紙幣組み合わせ毎の紙幣重量に関する紙幣重量情報を記憶する記憶部と、１枚以上かつ１金種以上の紙幣が載置される紙幣載置部と、前記紙幣載置部に載置された前記紙幣の重量を計測する計測部と、前記計測部により計測された前記重量に対応する紙幣組み合わせを、前記記憶部に記憶された前記紙幣重量情報から取得する取得部と、前記取得部により取得された前記紙幣組み合わせに基づいて、前記紙幣載置部に載置された前記紙幣の金種毎の枚数と前記紙幣載置部に載置された前記紙幣の金額とを表示する表示部とを備える。【選択図】図４
2019204323.tif 000002
【特許請求の範囲】
【請求項１】
１枚以上かつ１金種以上の紙幣組み合わせ毎の紙幣重量に関する紙幣重量情報を記憶する記憶部と、
１枚以上かつ１金種以上の紙幣が載置される紙幣載置部と、
前記紙幣載置部に載置された前記紙幣の重量を計測する計測部と、
前記計測部により計測された前記重量に対応する紙幣組み合わせを、前記記憶部に記憶された前記紙幣重量情報から取得する取得部と、
前記取得部により取得された前記紙幣組み合わせに基づいて、前記紙幣載置部に載置された前記紙幣の金種毎の枚数と前記紙幣載置部に載置された前記紙幣の金額とを表示する表示部と、
を備えることを特徴とする自動取引装置。
【請求項２】
前記記憶部に記憶される前記紙幣重量情報を生成する生成部を更に備え、
前記生成部は、前記紙幣組み合わせの金額の上限値と、金種毎の紙幣枚数の上限値と、金種毎の紙幣１枚当たりの重量とに基づいて、前記紙幣重量情報を生成する、
ことを特徴とする請求項１記載の自動取引装置。
【請求項３】
前記紙幣重量情報において、前記紙幣組み合わせ毎の紙幣重量は、上限値と下限値によって規定される範囲内の重量である、
ことを特徴とする請求項１又は２記載の自動取引装置。
【請求項４】
前記紙幣載置部は、紙幣の受け付け及び払い出しを行う紙幣入出金部である、
ことを特徴とする請求項１乃至３の何れか１項に記載の自動取引装置。
【請求項５】
１枚以上かつ１金種以上の紙幣組み合わせ毎の紙幣重量に関する紙幣重量情報が記憶された記憶部と、１枚以上かつ１金種以上の紙幣が載置される紙幣載置部とを備える自動取引装置において実行される紙幣計数方法であって、
前記紙幣載置部に載置された前記紙幣の重量を計測し、
計測した前記重量に対応する紙幣組み合わせを、前記記憶部に記憶された前記紙幣重量情報から取得し、
取得した前記紙幣組み合わせに基づいて、前記紙幣載置部に載置された前記紙幣の金種毎の枚数と前記紙幣載置部に載置された前記紙幣の金額とを表示する、
ことを特徴とする紙幣計数方法。
【請求項６】
１枚以上かつ１金種以上の紙幣組み合わせ毎の紙幣重量に関する紙幣重量情報が記憶された記憶部と、１枚以上かつ１金種以上の紙幣が載置される紙幣載置部とを備える自動取引装置のコンピュータに、
前記紙幣載置部に載置された前記紙幣の重量を計測し、
計測した前記重量に対応する紙幣組み合わせを、前記記憶部に記憶された前記紙幣重量情報から取得し、
取得した前記紙幣組み合わせに基づいて、前記紙幣載置部に載置された前記紙幣の金種毎の枚数と前記紙幣載置部に載置された前記紙幣の金額とを表示する、
という処理を実行させることを特徴とする紙幣計数プログラム。
【発明の詳細な説明】
【技術分野】
【０００１】
本発明は、自動取引装置、自動取引装置において実行される紙幣計数方法、及び自動取引装置のコンピュータに実行される紙幣計数プログラムに関する。
【背景技術】
【０００２】
従来、銀行等の金融機関の店舗やコンビニエンスストアの店舗等に設置されるＡＴＭ（Automated Teller Machine：現金自動預け払い機）等の自動取引装置では、入金や出金等の各種取引が行われている。
【０００３】
出金取引では、例えば、顧客の指定金額に応じた出金や両替を伴う出金が行われている。
【０００４】
ここで、顧客の指定金額に応じた出金では、顧客の指定金額によって、出金される紙幣の枚数が多くなる場合がある。例えば、顧客の指定金額が２万円である場合は、出金される紙幣の枚数が２枚（万券（１万円札）が２枚）となるのに対し、顧客の指定金額が１万９千円である場合は、出金される紙幣の枚数が１０枚（万券が１枚と千券（１千円札）が９枚）となる。
【０００５】
また、両替を伴う出金においても、出金される紙幣の枚数が多くなる。例えば、顧客の指定金額が２万円であって１万円の両替を伴う場合は、出金される紙幣の枚数が１１枚（万券が１枚と千券が１０枚）となる。
【０００６】
出金された紙幣の枚数が多くなると、紙幣の枚数が本当に正しいのか不安になる顧客がいる。このような顧客は、それを確かめるために、例えば、出金された紙幣の枚数を、その場であるいはその場を離れて手で数えるようにしている。
【０００７】
なお、自動取引装置に関して、次のような技術が知られている。
排出口に集積された媒体の重量を検出する重量センサを備え、この重量センサによる検出結果に基づいて排出口に集積された媒体の数を算出する技術が知られている（例えば、特許文献１参照）。
【０００８】
また、現金収納部毎に、収納されている紙幣の重量や厚さ等を検知する収納検知センサを設け、この収納検知センサからの検知情報に基づいて現在の収納金額や収納枚数を検知する技術が知られている（例えば、特許文献２参照）。
【０００９】
また、リジェクト紙幣収納部に収納されているリジェクト紙幣の重量を検出する重量センサと、新たなリジェクト紙幣の収納前に重量センサにより検出された重量と、新たなリジェクト紙幣の収納後に重量センサにより検出された重量との差分から、リジェクト紙幣収納部に収納された新たなリジェクト紙幣の枚数を算出する技術が知られている（例えば、特許文献３参照）
【先行技術文献】
【特許文献】
【００１０】
【特許文献１】特開２０１３−１２５４４７号公報
【特許文献２】特開２０１６−０８５５８５号公報
【特許文献３】特開２０１３−１２５４３８号公報
【発明の概要】
【発明が解決しようとする課題】
【００１１】
上述したように、出金された紙幣を顧客が手で数えて確認するようにすると、次のような問題がある。
【００１２】
まず、出金された紙幣の枚数が多くなると、手で数えるのが大変である。
また、自動取引装置の前で紙幣を数えるときに後続の顧客（順番待ちの顧客）がいると、後続の顧客を待たせてしまい迷惑が掛かる。また、それを避けるために、自動取引装置の前から離れてフロアーの隅等へ移動して数えるようにすると、それを他人から見られ易くなり、犯罪を誘発する虞がある。さらに、それを避けるために、自宅に戻ってから紙幣を数えるようにすると、その間、顧客は紙幣の枚数が正しいのか不安が続くことになる。
【００１３】
本発明は、上記実状に鑑み、顧客が紙幣を手で数えることなく紙幣枚数を確認することができる自動取引装置、紙幣計数方法、及び紙幣計数プログラムを提供することを目的とする。
【課題を解決するための手段】
【００１４】
装置の一観点は、自動取引装置であって、１枚以上かつ１金種以上の紙幣組み合わせ毎の紙幣重量に関する紙幣重量情報を記憶する記憶部と、１枚以上かつ１金種以上の紙幣が載置される紙幣載置部と、前記紙幣載置部に載置された前記紙幣の重量を計測する計測部と、前記計測部により計測された前記重量に対応する紙幣組み合わせを、前記記憶部に記憶された前記紙幣重量情報から取得する取得部と、前記取得部により取得された前記紙幣組み合わせに基づいて、前記紙幣載置部に載置された前記紙幣の金種毎の枚数と前記紙幣載置部に載置された前記紙幣の金額とを表示する表示部とを備えることを特徴とする。
【００１５】
方法の一観点は、１枚以上かつ１金種以上の紙幣組み合わせ毎の紙幣重量に関する紙幣重量情報が記憶された記憶部と、１枚以上かつ１金種以上の紙幣が載置される紙幣載置部とを備える自動取引装置において実行される紙幣計数方法であって、前記紙幣載置部に載置された前記紙幣の重量を計測し、計測した前記重量に対応する紙幣組み合わせを、前記記憶部に記憶された前記紙幣重量情報から取得し、取得した前記紙幣組み合わせに基づいて、前記紙幣載置部に載置された前記紙幣の金種毎の枚数と前記紙幣載置部に載置された前記紙幣の金額とを表示することを特徴とする。
【００１６】
プログラムの一観点は、１枚以上かつ１金種以上の紙幣組み合わせ毎の紙幣重量に関する紙幣重量情報が記憶された記憶部と、１枚以上かつ１金種以上の紙幣が載置される紙幣載置部とを備える自動取引装置のコンピュータに、前記紙幣載置部に載置された前記紙幣の重量を計測し、計測した前記重量に対応する紙幣組み合わせを、前記記憶部に記憶された前記紙幣重量情報から取得し、取得した前記紙幣組み合わせに基づいて、前記紙幣載置部に載置された前記紙幣の金種毎の枚数と前記紙幣載置部に載置された前記紙幣の金額とを表示するという処理を実行させることを特徴とする紙幣計数プログラムである。
【発明の効果】
【００１７】
開示の装置、方法、及びプログラムは、顧客が紙幣を手で数えることなく紙幣枚数を確認することができるという効果を奏する。
【図面の簡単な説明】
【００１８】
【図１】一実施の形態に係る自動取引装置の外観構成を例示する図である。
【図２】紙幣入出金部の構成を模式的に例示する図である。
【図３】一実施の形態に係る自動取引装置のハードウェア構成を例示する図である。
【図４】一実施の形態に係る自動取引装置の機能ブロック構成を例示する図である。
【図５Ａ】紙幣重量情報を例示する図（その１）である。
【図５Ｂ】紙幣重量情報を例示する図（その２）である。
【図５Ｃ】紙幣重量情報を例示する図（その３）である。
【図５Ｄ】紙幣重量情報を例示する図（その４）である。
【図６Ａ】一実施の形態に係る自動取引装置において実行される取引処理の流れを例示する図（その１）である。
【図６Ｂ】一実施の形態に係る自動取引装置において実行される取引処理の流れを例示する図（その２）である。
【図６Ｃ】一実施の形態に係る自動取引装置において実行される取引処理の流れを例示する図（その３）である。
【図７Ａ】「お引き出し」取引が行われるときの表示入力部の画面遷移を例示する図（その１）である。
【図７Ｂ】「お引き出し」取引が行われるときの表示入力部の画面遷移を例示する図（その２）である。
【図８】「計数」取引が行われるときの表示入力部の画面遷移を例示する図である。
【図９】一実施の形態に係る自動取引装置において実行される紙幣重量情報生成処理の流れを例示する図である。
【発明を実施するための形態】
【００１９】
以下、図面を参照しながら本発明の実施の形態について説明する。
図１は、一実施の形態に係る自動取引装置の外観構成を例示する図である。
【００２０】
図１に例示した自動取引装置１は、例えばＡＴＭであり、銀行等の金融機関の店舗やコンビニエンスストアの店舗等に設置される。
【００２１】
図１に例示したように、自動取引装置１は、通帳挿入部１０、カード挿入部１１、硬貨入出金部１２、紙幣入出金部１３、及び表示入力部１４を備える。
【００２２】
通帳挿入部１０は、通帳の受け付け及び返却を行う。
カード挿入部１１は、取引に使用されるカード（キャッシュカード等）の受け付け及び返却を行う。また、カード挿入部１１は、取引明細等が印刷（印字）されたレシートの排出も行う。
【００２３】
硬貨入出金部１２は、硬貨の受け付け及び払い出しを行う。
紙幣入出金部１３は、紙幣の受け付け及び払い出しを行う。なお、紙幣入出金部１３は、１枚以上かつ１金種以上の紙幣が載置される紙幣載置部の一例でもある。
【００２４】
表示入力部１４は、顧客向けの各種画面（後述する図７Ａ、図７Ｂ、及び図８に例示する画面等）の表示や、顧客による操作入力を受け付ける。
【００２５】
図２は、紙幣入出金部１３の構成を模式的に例示する図である。
図２に例示したように、紙幣入出金部１３は、前面部として、紙幣の受け付け又は払い出しが行われるときにだけ下方向に移動し、紙幣の受け付け又は払い出しが終了すると元の位置に戻る紙幣扉１３１を有する。これにより、紙幣入出金部１３は、紙幣の受け付け又は払い出しが行われるときにだけ開状態とされ、それ以外では閉状態とされる。なお、図２に例示した状態は、紙幣入出金部１３の開状態を示すと共に、受け付けられた紙幣２又は払い出された紙幣２が紙幣入出金部１３に載置されている状態を示している。紙幣２は、例えば、万券と千券が混在した複数の紙幣である。
【００２６】
紙幣入出金部１３の下方には、紙幣入出金部１３に載置された紙幣の重量を計測するための重量センサ１５が設けられている。重量センサ１５は、紙幣入出金部１３に載置されている紙幣の重量に応じた検出信号を出力する。
【００２７】
図３は、一実施の形態に係る自動取引装置のハードウェア構成を例示する図である。
図３に例示したように、自動取引装置１は、ＡＴＭ制御部２０、紙幣処理ユニット３０、硬貨処理ユニット４０、通帳処理ユニット５０、カード処理ユニット６０、レシート発行処理ユニット７０、及び紙幣重量計測処理ユニット８０を備える。
【００２８】
ＡＴＭ制御部２０は、主制御部２１、メモリ２２、ハードディスク２３、ホスト通信制御部２４、画面表示部２５、キー入力部２６、及びＩＯ（Input Output）制御部２７を備える。なお、ＡＴＭ制御部２０は、コンピュータの一例である。
【００２９】
主制御部２１は、ＣＰＵ（Central Processing Unit）を含み、自動取引装置１の全体を制御する。例えば、主制御部２１は、ＩＯ制御部２７を介して、紙幣処理ユニット３０、硬貨処理ユニット４０、通帳処理ユニット５０、カード処理ユニット６０、レシート発行処理ユニット７０、及び紙幣重量計測処理ユニット８０を制御する。
【００３０】
メモリ２２は、ＲＡＭ（Random Access Memory）及びＲＯＭ（Read Only Memory）等により構成される。ＲＡＭは、主制御部２１のＣＰＵにより実行されるプログラムの一部や、ＣＰＵの処理に必要な各種データ等が一時的に格納される。ＣＰＵにより実行されるプログラムは、ＯＳ（Operating System）のプログラムや自動取引装置１の各機能を制御し実行するための制御プログラム（紙幣計数プログラムを含む）である。
【００３１】
メモリ２２のＲＯＭ及びハードディスク２３は、主制御部２１のＣＰＵにより実行されるプログラムや、ＣＰＵの処理に必要な各種データ（後述する紙幣重量情報を含む）等が記録される。
【００３２】
ホスト通信制御部２４は、インターネット、イントラネット、専用通信網等の図示しないネットワークを介して、図示しないホストコンピュータとの通信を制御する。なお、ホスト通信制御部２４は、図示しないネットワークに接続される他の装置との通信を制御することもできる。
【００３３】
画面表示部２５及びキー入力部２６は、顧客が自動取引装置１を操作する際のインタフェースであり、上述の表示入力部１４でもある。より詳しくは、画面表示部２５は、顧客向けの各種画面を表示する。キー入力部２６は、顧客による操作入力に使用される、テンキーやキーボタン等として機能するタッチパネルであり、画面表示部２５上に配置される。
【００３４】
ＩＯ制御部２７は、紙幣処理ユニット３０、硬貨処理ユニット４０、通帳処理ユニット５０、カード処理ユニット６０、レシート発行処理ユニット７０、及び紙幣重量計測処理ユニット８０との間の入出力インタフェースである。
【００３５】
なお、ＡＴＭ制御部２０において、ハードディスク２３に記録されるプログラムや各種データは、例えば、図示しない外部装置から、図示しないネットワーク及びホスト通信制御部２４を介してハードディスク２３に記録されてもよい。あるいは、図示しない可搬型記録媒体から、図示しない可搬型記録媒体インタフェースを介して、ハードディスク２３に記録されてもよい。また、主制御部２１のＣＰＵにより実行されるプログラムは、例えば、図示しない外部装置から、図示しないネットワーク及びホスト通信制御部２４を介して、メモリ２２のＲＡＭに格納され、ＣＰＵにより実行されてもよい。あるいは、図示しない可搬型記録媒体から、図示しない可搬型記録媒体インタフェースを介して、メモリ２２のＲＡＭに格納され、主制御部２１のＣＰＵにより実行されてもよい。
【００３６】
紙幣処理ユニット３０は、入金や振込みのときに紙幣入出金部１３に投入された紙幣の枚数を計数し、紙幣の種類を判別する。また、紙幣の払い出しを行うときに、払い出すための紙幣を計数する。
【００３７】
硬貨処理ユニット４０は、入金や振込みのときに硬貨入出金部１２に投入された硬貨の枚数を計数し、硬貨の種類を判別する。また、硬貨の払い出しを行うときに、払い出すための硬貨を計数する。
【００３８】
通帳処理ユニット５０は、通帳挿入部１０に挿入された通帳が有する磁気ストライプに記録された情報（データ）を読み出す。また、通帳に対して通帳記入を行う。
【００３９】
カード処理ユニット６０は、カード挿入部１１に挿入されたカードが有する磁気ストライプやＩＣチップに対して、情報（データ）の読み出し及び書き込みを行う。
【００４０】
レシート発行処理ユニット７０は、取引結果の確認のための取引明細等を印刷したレシートを発行し、カード挿入部１１から排出する。
【００４１】
紙幣重量計測処理ユニット８０は、重量センサ１５の検出信号に基づいて、紙幣入出金部１３に載置されている紙幣の重量を計測する。
【００４２】
図４は、一実施の形態に係る自動取引装置の機能ブロック構成を例示する図である。
但し、図４には、紙幣載置部（例えば紙幣入出金部１３）に載置された紙幣の重量を計測し、その計測結果に基づいて、紙幣載置部に載置された紙幣の金種毎の枚数と紙幣載置部に載置された紙幣の金額とを表示する構成に係る主たる機能ブロックのみを例示する。
【００４３】
図４に例示したように、自動取引装置１は、記憶部９１、紙幣載置部９２、計測部９３、取得部９４、及び表示部９５を備える。
【００４４】
記憶部９１は、１枚以上かつ１金種以上の紙幣組み合わせ毎の紙幣重量に関する紙幣重量情報を記憶する。
【００４５】
紙幣載置部９２は、１枚以上かつ１金種以上の紙幣が載置される。
計測部９３は、紙幣載置部９２に載置された紙幣の重量を計測する。
【００４６】
取得部９４は、計測部９３により計測された重量に対応する紙幣組み合わせを、記憶部９１に記憶された紙幣重量情報から取得する。
【００４７】
表示部９５は、取得部９４により取得された紙幣組み合わせに基づいて、紙幣載置部９２に載置された紙幣の金種毎の枚数と紙幣載置部９２に載置された紙幣の金額とを表示する。
【００４８】
なお、図４に例示したように、自動取引装置１は、記憶部９１に記憶される紙幣重量情報を生成する生成部９６を更に備えてもよい。この場合、生成部９６は、例えば、紙幣組み合わせの金額の上限値と、金種毎の紙幣枚数の上限値と、金種毎の紙幣１枚当たりの重量とに基づいて、紙幣重量情報を生成してもよい。
【００４９】
図５Ａ、図５Ｂ、図５Ｃ、及び図５Ｄは、紙幣重量情報を例示する図である。
図５Ａ、図５Ｂ、図５Ｃ、及び図５Ｄに例示した紙幣重量情報は、次の（１）、（２）、及び（３）の前提条件の下に生成されたものである。
（１）紙幣組み合わせの金額の上限値を１００万円とする。
（２）紙幣組み合わせに含まれる万券枚数の上限値を１００枚とし、紙幣組み合わせに含まれる千券枚数の上限値を１９枚とする。なお、本実施形態では、１回の出金取引において、万券１枚を千券１０枚にする両替が１回だけ可能であるとする。
（３）万券１枚の重さ（重量）を１．０６８２ｇとし、千券１枚の重さを１．００７６ｇとする。
【００５０】
この（１）、（２）、及び（３）の前提条件の下に生成された紙幣重量情報の全てを図面に示すことは、図面スペースの都合上、困難であることから、ここでは、図５Ａ、図５Ｂ、図５Ｃ、及び図５Ｄに例示したように、紙幣重量情報の一部を４つの図面に分けて示すこととする。
【００５１】
図５Ａ、図５Ｂ、図５Ｃ、及び図５Ｄに例示したように、紙幣重量情報は、「紙幣組み合わせ」毎に、「重さ（ｇ）」、「重さの範囲（ｇ）」、及び「金額（円）」に関する情報を有し、その「紙幣組み合わせ」毎の情報が、「重さ（ｇ）」の値が小さい順に（即ち軽い順に）並べられている。
【００５２】
ここで、「紙幣組み合わせ」は、「全枚数」、「万券枚数」、及び「千券枚数」によって表される。例えば、図５Ａの上から４つ目の「紙幣組み合わせ」は、「全枚数」が２枚、「万券枚数」が１枚、「千券枚数」１枚の紙幣組み合わせを示している。
【００５３】
「重さ（ｇ）」は、「紙幣組み合わせ」における紙幣の重さを示している。この重さは、「万券枚数」をＡとし、「千券枚数」をＢとし、万券１枚の重さをＣ（＝１．０６８２ｇ）とし、千券１枚の重さをＤ（＝１．００７６ｇ）とすると、Ａ×Ｃ＋Ｂ×Ｄにより求められる。例えば、図５Ａの上から４つ目の「紙幣組み合わせ」の「重さ（ｇ）」は、２．０７５８ｇ（＝１×１．０６８２ｇ＋１×１．００７６ｇ）となる。
【００５４】
「重さの範囲（ｇ）」は、「紙幣組み合わせ」における紙幣の重さと見做すことができる重さの範囲を示し、「下限値」と「上限値」によって規定される。例えば、図５Ａの上から４つ目の「紙幣組み合わせ」の「重さの範囲（ｇ）」は、「下限値」である２．０４５６ｇと「上限値」である２．１０６１ｇとによって規定される２．０４５６ｇ〜２．１０６１ｇの範囲とされる。これにより、例えば、紙幣重量計測処理ユニット８０により計測された紙幣重量が２．０４５６ｇ〜２．１０６１ｇの範囲内にある場合は、紙幣入出金部１３に載置されている紙幣が、万券１枚と千券１枚とからなる２枚の紙幣ということになる。
【００５５】
なお、図５Ａ、図５Ｂ、図５Ｃ、及び図５Ｄに例示した紙幣重量情報では、「下限値」と「上限値」が次のようにして決定されている。
【００５６】
ここでは、説明の便宜のため、「重さ（ｇ）」の値がｎ番目に小さい「紙幣組み合わせ」をｎ番目の「紙幣組み合わせ」といい、「重さ（ｇ）」の値が最大になる「紙幣組み合わせ」（図５Ｄの最終行参照）を、ｎ_max番目の「紙幣組み合わせ」という。
【００５７】
１番目の「紙幣組み合わせ」（図５Ａの１行目参照）の「下限値」及びｎ_max番目の「紙幣組み合わせ」の「上限値」を除いて、ｎ番目の「紙幣組み合わせ」の「上限値」及び「下限値」は、次のようにして決定される。ｎ番目の「紙幣組み合わせ」の「上限値」は、ｎ番目の「紙幣組み合わせ」の「重さ（ｇ）」の値をＥとし、ｎ＋１番目の「紙幣組み合わせ」の「重さ（ｇ）」の値をＦとすると、（Ｅ＋Ｆ）／２により決定される。ｎ番目の「紙幣組み合わせ」の「下限値」は、ｎ−１番目の「紙幣組み合わせ」の「上限値」をＧとすると、Ｇ＋０．０００１により決定される。
【００５８】
１番目の「紙幣組み合わせ」の「下限値」は、１番目の「紙幣組み合わせ」の「重さ（ｇ）」をＨとし、１番目の「紙幣組み合わせ」の「上限値」をＩとすると、Ｈ−（Ｉ−Ｈ）により決定される。また、ｎ_max番目の「紙幣組み合わせ」の「上限値」は、ｎ_max番目の「紙幣組み合わせ」の「重さ（ｇ）」をＪとし、ｎ_max番目の「紙幣組み合わせ」の「下限値」をＫとすると、Ｊ＋（Ｊ−Ｋ）により決定される。
【００５９】
「金額（円）」は、「紙幣組み合わせ」における紙幣の合計金額を示している。例えば、図５Ａの上から４つ目の「紙幣組み合わせ」の「金額（円）」は、１万１千円を示している。
【００６０】
次に、図６Ａ、図６Ｂ、図６Ｃ、図７Ａ、図７Ｂ、及び図８を用いて、自動取引装置１において実行される取引処理の流れについて説明する。
【００６１】
図６Ａ、図６Ｂ、及び図６Ｃは、一実施の形態に係る自動取引装置において実行される取引処理の流れを例示する図である。図７Ａ及び図７Ｂは、「お引き出し」取引が行われるときの表示入力部の画面遷移を例示する図である。図８は、「計数」取引が行われるときの表示入力部の画面遷移を例示する図である。
【００６２】
図６Ａに例示したように、取引処理が開始されると、まずＳ６０１において、主制御部２１は、図７Ａに例示した取引種別選択画面７０１を表示入力部１４に表示する。取引種別選択画面７０１には、取引の選択を顧客に促すメッセージと、顧客が選択可能な取引のボタン等が表示される。なお、「計数」ボタンは、顧客から受け付けた紙幣を計数して計数結果を表示するという処理を自動取引装置１に行わせる指示を行うためのボタンである。
【００６３】
ここで、顧客が所望の取引のボタンを押下したとすると、Ｓ６０２において、主制御部２１は、押下されたボタンの取引が出金取引であるか否かを判定する。
【００６４】
Ｓ６０２の判定結果がＹＥＳの場合（押下されたボタンが「お引き出し」ボタンであった場合）、Ｓ６０３において、主制御部２１は、図７Ａに例示したカード挿入待ち画面７０２を表示入力部１４に表示する。カード挿入待ち画面７０２には、カード挿入を顧客に促すメッセージと、取引の取消指示を行うための「取消」ボタン等が表示される。
【００６５】
ここで、顧客がカード挿入部１１にカードを挿入したとすると、Ｓ６０４において、主制御部２１は、カードチェックを行い、その結果がＮＧであるか否かを判定する。カードチェックでは、例えば、カード挿入部１１に挿入されたカードの磁気ストライプやＩＣチップからカード処理ユニット６０が正しく情報を読み出すことができたか否かのチェックが行われ、それができた場合はＯＫとなり、それができなかった場合はＮＧとなる。
【００６６】
Ｓ６０４の判定結果がＹＥＳの場合、Ｓ６０５において、主制御部２１は、挿入されているカードをカード挿入部１１から返却し、処理がＳ６０１へ戻る。
【００６７】
一方、Ｓ６０４の判定結果がＮＯの場合、Ｓ６０６において、主制御部２１は、図７Ａに例示した暗証入力画面７０３を表示入力部１４に表示する。暗証入力画面７０３には、暗証番号の入力を顧客に促すメッセージと、暗証番号を入力するためのテンキーと、入力した暗証番号を訂正指示するための「訂正」ボタン等が表示される。
【００６８】
ここで、顧客が暗証番号を入力して本人認証が行われると、図６Ｂに例示したように、Ｓ６０７において、主制御部２１は、図７Ａに例示した引出金額入力画面７０４を表示入力部１４に表示する。引出金額入力画面７０４には、引出金額の入力を顧客に促すメッセージと、引出金額を入力するためのテンキーと、「円」ボタンと、１万円を千券１０枚に両替指示するための「両替」ボタンと、入力した金額を訂正指示するための「訂正」ボタン等が表示される。
【００６９】
ここで、顧客が引出金額（例えば１０万円）を入力して「円」ボタン又は「両替」ボタンを押下したとすると、Ｓ６０８において、主制御部２１は、図７Ａに例示した引出金額確認画面７０５を表示入力部１４に表示する。引出金額確認画面７０５には、顧客が入力した引出金額の確認を顧客に促すメッセージと、顧客が入力した引出金額（例えば１０万円）と、引出金額を訂正指示するための「訂正」ボタンと、「確認」ボタン等が表示される。
【００７０】
ここで、顧客が「確認」ボタンを押下したとすると、Ｓ６０９において、主制御部２１は、図７Ｂに例示したコンピュータ画面７０６を表示入力部１４に表示すると共に、Ｓ６１０において、主制御部２１は、出金取引のためのホスト通信処理を行う。コンピュータ画面７０６には、ホスト通信処理中であることを顧客に知らせるメッセージと、ホスト通信処理の進行度合い等が表示される。ホスト通信処理では、ホスト通信制御部２４を介して、主制御部２１が出金取引要求電文を図示しないホストコンピュータに送信し、その応答電文（出金許可又は出金禁止）を図示しないホストコンピュータから受信する。なお、図示しないホストコンピュータは、出金取引要求電文に対する応答電文の内容を、顧客情報等に基づいて決定する。
【００７１】
ここで、応答電文の内容が出金許可であったとすると、Ｓ６１１において、主制御部２１は、引出金額に応じた現金（紙幣）を紙幣入出金部１３に搬送する。これにより、その紙幣が紙幣入出金部１３に載置される。そして、Ｓ６１２において、主制御部２１は、図７Ｂに例示した現金計数案内画面７０７を表示入力部１４に表示する。現金計数案内画面７０７には、出金された紙幣（紙幣入出金部１３に載置されている紙幣）の計数を行うか否かを顧客に問い合わせるためのメッセージと、紙幣の計数指示を行うための「数える」ボタンと、取引終了を指示する（紙幣の計数を行わない指示を行う）ための「取引終了」ボタン等が表示される。
【００７２】
ここで、顧客が「数える」ボタン又は「取引終了」ボタンを押下したとすると、Ｓ６１３において、主制御部２１は、顧客が押下したボタンが「数える」ボタンであるか否かを判定する。
【００７３】
Ｓ６１３の判定結果がＹＥＳの場合、Ｓ６１４において、主制御部２１は、図７Ｂに例示した現金計数中画面７０８を表示入力部１４に表示すると共に、図６Ｃに例示したように、Ｓ６１５において、主制御部２１は、紙幣入出金部１３に載置されている紙幣の枚数を計数する。現金計数中画面７０８には、紙幣計数中であることを顧客に知らせるメッセージと、紙幣計数の進行度合い等が表示される。Ｓ６１５における紙幣の計数は、紙幣入出金部１３に載置されている紙幣の重量に対応する紙幣組み合わせを紙幣重量情報から取得することにより実現され、詳しくは、次のようにして行われる。
【００７４】
まず、紙幣重量計測処理ユニット８０が、重量センサ１５の検出信号に基づいて、紙幣入出金部１３に載置されている紙幣の重量を計測する。次に、主制御部２１が、メモリ２２又はハードディスク２３に記憶されている紙幣重量情報（例えば図５Ａ、図５Ｂ、図５Ｃ、及び図５Ｄの紙幣重量情報を参照）から、計測された重量に対応する紙幣組み合わせを取得する。ここで、計測された重量に対応する紙幣組み合わせとは、計測された重量を含む「重さの範囲（ｇ）」の「紙幣組み合わせ」のことである。例えば、計測された重量が１０．６９２０（ｇ）であったとすると、この重量が１０．６５１８（ｇ）〜１０．８８２８（ｇ）の「重さの範囲（ｇ）」（図５Ｂ参照）に含まれることから、この場合は、万券が１０枚と千券が０枚（全枚数が１０枚）の「紙幣組み合わせ」ということになる。
【００７５】
Ｓ６１５が終了すると、Ｓ６１６において、主制御部２１は、図７Ｂに例示した現金計数結果画面７０９を表示入力部１４に表示する。現金計数結果画面７０９には、計数結果の確認を顧客に促すメッセージと、Ｓ６１５での紙幣計数結果（取得された紙幣組み合わせにおける金種毎の紙幣枚数）と、その金額と、「確認」ボタン等が表示される。
【００７６】
ここで、顧客が「確認」ボタンを押下したとすると、Ｓ６１７において、主制御部２１は、処理中の取引が出金取引であるか否かを判定する。
【００７７】
Ｓ６１７の判定結果がＹＥＳの場合、Ｓ６１８において、レシート発行処理ユニット７０は、処理中の出金取引に係る取引明細が印刷されたレシートに、Ｓ６１５での紙幣計数結果（取得された紙幣組み合わせにおける金種毎の紙幣枚数等）を追加印刷する。
【００７８】
Ｓ６１８の後は、Ｓ６１９において、主制御部２１は、図７Ｂに例示した媒体放出画面７１０を表示入力部１４に表示すると共に、Ｓ６２０において、主制御部２１は、媒体放出処理を行う。媒体放出画面７１０には、カード、レシート、及び現金を受け取るよう顧客に促すメッセージ等が表示される。媒体放出処理では、挿入されているカードと、取引明細と紙幣計数結果（金種毎の紙幣枚数等）が印刷されたレシートとをカード挿入部１１に排出すると共に、紙幣扉１３１を下方向へ移動して紙幣入出金部１３を開状態にする。
【００７９】
ここで、顧客が、カード挿入部１１に排出されたカード及びレシートと、紙幣入出金部１３に載置されている紙幣を抜き取ると、主制御部２１は、紙幣扉１３１を元の位置に戻して紙幣入出金部１３を閉状態とし、処理がＳ６０１へ戻る。
【００８０】
一方、Ｓ６１３の判定結果がＮＯの場合、Ｓ６２１において、主制御部２１は、図７Ｂに例示した媒体放出画面７１０を表示入力部１４に表示すると共に、Ｓ６２２において、主制御部２１は、媒体放出処理を行う。Ｓ６２２の媒体放出処理では、挿入されているカードと、取引明細が印刷されたレシートとをカード挿入部１１に排出すると共に、紙幣扉１３１を下方向へ移動して紙幣入出金部１３を開状態にする。
【００８１】
ここで、顧客が、カード挿入部１１に排出されたカード及びレシートと、紙幣入出金部１３に載置されている紙幣を抜き取ると、主制御部２１は、紙幣扉１３１を元の位置に戻して紙幣入出金部１３を閉状態とし、処理がＳ６０１へ戻る。
【００８２】
一方、Ｓ６０２の判定結果がＮＯの場合、Ｓ６２３において、主制御部２１は、押下されたボタンの取引が計数取引であるか否かを判定する。
【００８３】
Ｓ６２３の判定結果がＮＯの場合（押下されたボタンが「お引き出し」ボタン及び「計数」ボタン以外であった場合）、Ｓ６２４において、主制御部２１は、押下された取引ボタンの取引に応じた公知の取引処理を行い、処理がＳ６０１へ戻る。
【００８４】
一方、Ｓ６２３の判定結果がＹＥＳの場合（押下されたボタンが「計数」ボタンであった場合）、Ｓ６２５において、主制御部２１は、図８に例示した紙幣挿入待ち画面８０１を表示入力部１４に表示すると共に、紙幣扉１３１を下方向へ移動して紙幣入出金部１３を開状態にする。紙幣挿入待ち画面８０１には、計数対象とする紙幣を紙幣入出金部１３に載置するよう顧客に促すメッセージと、取引の取消指示を行うための「取消」ボタンと、「確認」ボタン等が表示される。
【００８５】
ここで、顧客が計数対象とする紙幣（例えば万券１０枚）を紙幣入出金部１３に載置して「確認」ボタンを押下したとすると、主制御部２１は、紙幣扉１３１を元の位置に戻して紙幣入出金部１３を閉状態とし、処理が図６ＣのＳ６１５へ進む。この場合は、「計数」取引であるため、上述のＳ６１５及びＳ６１６が行われた後、上述のＳ６１７の判定結果がＮＯとなる。そして、Ｓ６１７の判定結果がＮＯの後は、Ｓ６１９において、主制御部２１は、図８に例示した媒体放出画面８０２を表示入力部１４に表示すると共に、Ｓ６２０において、主制御部２１は、媒体放出処理を行う。媒体放出画面８０２には、現金を受け取るよう顧客に促すメッセージ等が表示される。また、このときの媒体放出処理では、紙幣扉１３１を下方向へ移動して紙幣入出金部１３を開状態にする。
【００８６】
ここで、顧客が、紙幣入出金部１３に載置されている紙幣を抜き取ると、主制御部２１は、紙幣扉１３１を元の位置に戻して紙幣入出金部１３を閉状態とし、処理がＳ６０１へ戻る。
【００８７】
以上のように、本実施形態によれば、顧客は、出金取引の際に現金計数案内画面７０７における「数える」ボタンを押下することによって、出金された紙幣の金種毎の枚数及び金額を確認することができる。また、顧客は、取引種別選択画面７０１における「計数」ボタンを押下することによって、所持している紙幣を自動取引装置に計数させ、その紙幣の金種毎の枚数及び金額を確認することもできる。従って、顧客は、出金された紙幣の枚数を確認するために、自動取引装置１の前で紙幣を手で数えたり、フロアーの隅へ移動して紙幣を手で数えたり、自宅へ戻って紙幣を手で数えたりする必要がない。また、自動取引装置１の前で紙幣を数える必要がないので、後続の顧客を待たせて迷惑を掛けることもない。
【００８８】
なお、本実施形態において、メモリ２２又はハードディスク２３に記憶される紙幣重量情報は、次のような紙幣重量情報生成処理により生成されるものでもよい。
【００８９】
図９は、一実施の形態に係る自動取引装置において実行される紙幣重量情報生成処理の流れを例示する図である。
【００９０】
図９に例示したように、紙幣重量情報生成処理が開始されると、まずＳ９０１において、主制御部２１は、金額の上限値、金種毎の紙幣枚数の上限値、及び金種毎の紙幣１枚当たりの重量（即ち、上述の前提条件（１）、（２）、及び（３））の入力を受け付ける。なお、この入力は、例えば行員等の係員により行われ、その入力の受け付けは、例えば、自動取引装置１の背面等に設けられた図示しない係員用表示入力部により行われる。この係員用表示入力部は、係員向けであることを除き、上述の表示入力部１４と同様の機能を有する。
【００９１】
Ｓ９０２において、主制御部２１は、Ｓ９０１で受け付けた金額の上限値と、金種毎の紙幣枚数の上限値とに基づいて、全ての紙幣組み合わせ（紙幣重量情報における「紙幣組み合わせ」）を作成する。
【００９２】
Ｓ９０３において、主制御部２１は、Ｓ９０１で受け付けた金種毎の紙幣１枚当たりの重量に基づいて、Ｓ９０２で作成された全ての紙幣組み合わせの各々の紙幣重量（紙幣重量情報における「重さ（ｇ）」）を算出する。
【００９３】
Ｓ９０４において、主制御部２１は、Ｓ９０２で作成された全ての紙幣組み合わせ及びＳ９０３で算出された各紙幣組み合わせの紙幣重量を、その紙幣重量の順番に（軽い順に）並べ替える。
【００９４】
Ｓ９０５において、主制御部２１は、Ｓ９０４で並べ替えられた全ての紙幣組み合わせの各々の紙幣重量範囲（紙幣重量情報における「重さの範囲（ｇ）」）を算出する。この紙幣重量範囲は、上述の「下限値」及び「上限値」の決定方法に従って算出される。
【００９５】
Ｓ９０６において、主制御部２１は、Ｓ９０４で並べ替えられた全ての紙幣組み合わせの各々の金額（紙幣重量情報における「金額（円）」）を算出する。
【００９６】
Ｓ９０６が終了すると、紙幣重量情報生成処理が終了する。これにより、例えば、図５Ａ、図５Ｂ、図５Ｃ、及び図５Ｄに例示したような紙幣重量情報が生成される。
【００９７】
このような紙幣重量情報生成処理によれば、上述の前提条件（１）、（２）、及び（３）を入力するだけで、紙幣重量情報を自動生成することができる。
【００９８】
以上、本発明の実施の形態を説明したが、本発明は、上述した実施の形態に限定されることなく、本発明の要旨を逸脱しない範囲内で種々の改良・変更が可能である。
【符号の説明】
【００９９】
１                自動取引装置
２                紙幣
１０              通帳挿入部
１１              カード挿入部
１２              硬貨入出金部
１３              紙幣入出金部
１４              表示入力部
１５              重量センサ
２０              ＡＴＭ制御部
２１              主制御部
２２              メモリ
２３              ハードディスク
２４              ホスト通信制御部
２５              画面表示部
２６              キー入力部
２７              ＩＯ制御部
３０              紙幣処理ユニット
４０              硬貨処理ユニット
５０              通帳処理ユニット
６０              カード処理ユニット
７０              レシート発行処理ユニット
８０              紙幣重量計測処理ユニット
９１              記憶部
９２              紙幣載置部
９３              計測部
９４              取得部
９５              表示部
９６              生成部
１３１            紙幣扉
７０１            取引種別選択画面
７０２            カード挿入待ち画面
７０３            暗証入力画面
７０４            引出金額入力画面
７０５            引出金額確認画面
７０６            コンピュータ画面
７０７            現金計数案内画面
７０８            現金計数中画面
７０９            現金計数結果画面
７１０            媒体放出画面
８０１            紙幣挿入待ち画面
８０２            媒体放出画面
【図１】
2019204323.tif 000003
【図２】
2019204323.tif 000004
【図３】
2019204323.tif 000005
【図４】
2019204323.tif 000006
【図５Ａ】
2019204323.tif 000007
【図５Ｂ】
2019204323.tif 000008
【図５Ｃ】
2019204323.tif 000009
【図５Ｄ】
2019204323.tif 000010
【図６Ａ】
2019204323.tif 000011
【図６Ｂ】
2019204323.tif 000012
【図６Ｃ】
2019204323.tif 000013
【図７Ａ】
2019204323.tif 000014
【図７Ｂ】
2019204323.tif 000015
【図８】
2019204323.tif 000016
【図９】
2019204323.tif 000017